(57)【要約】  【課題】ドリルネジによる接合のみで組み立てることができ、現場での作業が煩雑化することを防止できるスチールハウス梁用溶接Ｈ形鋼、スチールハウスの枠組構造及びスチールハウスを提供する。  【解決手段】スチールハウス４１の梁に用いられる、上下のフランジ４９ａ，４９ｂとウェブ５０とを有するスチールハウス梁用溶接Ｈ形鋼４８−１である。上下のフランジ４９ａ，４９ｂ及びウェブ５０が、いずれも、ドリルネジ５３をねじ込むことによる他の部材との接合が可能な厚さを有すること、及び、上下のフランジ４９ａ、４９ｂのうちの少なくとも下フランジ４９ｂの幅が、スチールハウス４１の耐力壁パネル４２の厚さ（例えば８９ｍｍ）と略同じ寸法である。【選択図】図２
2006200137.tif 000002
【特許請求の範囲】
【請求項１】
スチールハウスの梁に用いられる、上下のフランジと該上下のフランジを結合するウェブとを有するスチールハウス梁用Ｈ形鋼であって、該上下のフランジ及びウェブは、いずれも、ドリルネジをねじ込むことによる他の部材との接合が可能な厚さを有すること、及び、前記上下のフランジのうちの少なくとも下フランジの幅は、前記スチールハウスの壁の厚さと略同じ寸法であることを特徴とするスチールハウス梁用Ｈ形鋼。
【請求項２】
前記ウェブの高さの内法は、前記スチールハウスの床パネルを構成する床根太のせいと同じ値以上である請求項１に記載されたスチールハウス梁用Ｈ形鋼。
【請求項３】
前記ウェブの高さの内法は、（前記せい＋７ｍｍ）以下である請求項２に記載されたスチールハウス梁用Ｈ形鋼。
【請求項４】
前記ウェブの高さの外法は、｛（前記スチールハウスの床パネルを構成する床根太のせい）＋（前記下フランジの厚さ）｝と略同じ値である請求項１に記載されたスチールハウス梁用Ｈ形鋼。
【請求項５】
前記下フランジの幅は前記上フランジの幅よりも大きい請求項１から請求項４までのいずれか１項に記載されたスチールハウス梁用Ｈ形鋼。
【請求項６】
前記ウェブが前記上下のフランジの幅方向の中央で該上下のフランジと接合する対称形状、又は、前記ウェブが前記上下のフランジの少なくとも一方の幅方向の中央を除いた位置で該上下のフランジと接合する非対称形状を有する請求項１から請求項５までのいずれか１項に記載されたスチールハウス梁用Ｈ形鋼。
【請求項７】
前記スチールハウス梁用Ｈ形鋼は溶接Ｈ形鋼である請求項１から請求項６までのいずれか１項に記載されたスチールハウス梁用Ｈ形鋼。
【請求項８】
枠体により支持されて、スチールハウスの壁をなす耐力壁パネルと、床根太及び該床根太の上部に載置される床材からなり、前記スチールハウスの各階の床をなす床パネルと、前記耐力壁パネル及び／又は前記床パネルを接合する臥梁とを備え、前記臥梁は、請求項１から請求項７までのいずれか１項に記載されたスチールハウス梁用Ｈ形鋼を有すること、及び、該スチールハウス梁用Ｈ形鋼のフランジは、ドリルネジをねじ込まれることにより、前記耐力壁パネルの上面又は下面と接合されること、及び／又は、該スチールハウス梁用Ｈ形鋼のウェブは、ドリルネジをねじ込まれることにより、前記床根太の端面と接合されることを特徴とするスチールハウスの枠組構造。
【請求項９】
枠体により支持されて、スチールハウスの壁をなす耐力壁パネルと、床根太及び該床根太の上部に載置される床材からなり、前記スチールハウスの各階の床をなす床パネルと、前記耐力壁パネル及び／又は前記床パネルを接合する臥梁とを備える枠組構造を備え、前記臥梁は、請求項１から請求項７までのいずれか１項に記載されたスチールハウス梁用Ｈ形鋼を有すること、及び、該スチールハウス梁用Ｈ形鋼のフランジは、ドリルネジをねじ込まれることにより、前記耐力壁パネルの上面又は下面と接合されること、及び／又は、該スチールハウス梁用Ｈ形鋼のウェブは、ドリルネジをねじ込まれることにより、前記床根太の端面と接合されることを特徴とするスチールハウス。
【発明の詳細な説明】
【技術分野】
【０００１】
本発明は、スチールハウス梁用Ｈ形鋼、スチールハウスの枠組構造及びスチールハウスに関する。
【背景技術】
【０００２】
我が国における例えば二階建てや三階建て等の一戸建て住宅は、古くから柱や梁に木材を用いた木造軸組工法により建築されてきた。１９６０年代から、柱や梁に鉄骨を用いた鉄骨軸組工法により鉄骨プレハブ住宅としても建築されるようになり、さらに１９７０年代にはいると、柱や梁を用いない壁構造の木造枠組壁工法により木造２×４住宅としても建築されるようになった。そして、近年（１９９７年頃から）、鉄骨が有する強さと、枠組壁工法が有する頑丈さとをあわせもつ住宅としてスチールハウスが建築されるようになってきた。
【０００３】
このスチールハウスは、板厚が１ｍｍ前後程度である薄鋼板を素材とし、孔型ロールを用いた圧下により、溝形、リップ付き溝形さらにはボックス形等の所望の形状に成形することにより製造された薄板軽量圧延形鋼製の枠材を建物全体の基本骨格として配し、この枠材に部分的に木製枠材や合板製面材等を適宜組み合わせることによって、構成される。
【０００４】
図５は、このスチールハウス１の構造を模式的に示す説明図である。図５を参照しながら、従来のスチールハウス工法による枠組み構造を説明する。
下枠材２から複数のたて枠材３が所定のピッチで垂直に設けられる。各たて枠材３の上端の間は上枠材４により結合される。このようにして、下枠材２、たて枠材３及び上枠材４により壁枠材が構成され、この壁枠材に構造用面材やブレースが装着されることにより耐力壁パネルが構成される。建物の一部には出入り口５ａ、窓５ｂなどの開口部５が設けられる。
【０００５】
上枠材４には、側根太６ａと端根太６ｂが支持される。両根太６ａ、６ｂは矩形に組まれる。そして、側根太６ａと平行して長短複数の床根太７が所定間隔で設けられる。長尺の床根太７の両端は、前後の端根太６ｂに受け金物８を介して結合される。一方、短尺の床根太７の一端は前側又は後側の端根太６ｂに、他端は床梁９にそれぞれ受け金物１０を介して結合される。床梁９の一端は側根太６ａに、他端は長尺の床根太７に受け金物１０を介して結合される。床根太７に合板等の構造用面材１１を敷き詰めて床パネル１２が構成される。なお、符号１３ａは床開口部端根太、符号１３ｂは開口部側根太、符号１３ｃは根太受け金物、符号１３ｄはころび止めである。
【０００６】
このスチールハウス１の出入り口５ａ、窓５ｂ等の開口部５にはたて枠材３が存在しないことから、この開口部５には、屋根等の上階からの鉛直荷重を支える柱がなく、開口部５の部位は強度的に弱くなる。このため、この開口部５の上部を補強する必要があり、開口部５の上にまぐさ１４を設ける。
【０００７】
図６は、まぐさ１４の設置部付近を示す説明図である。図６に示すスチールハウス１は、木製土台１５ａの上に１階床下地１５ｂが設けられ、その上に形成された一階開口５の上部にチャンネル１６ａが配置される。このチャンネル１６ａの上方に一階開口部垂壁１６ｂ、チャンネル１６ｃが搭載され、その上部に一階開口部まぐさ１４が配置される。
【０００８】
一階開口部まぐさ１４の上端面にチャンネル１６ｄが搭載され、チャンネル１６ｄの上に端根太１７ａが搭載され、端根太１７ａの間に二階床根太１７ｂが配置され、二階床根太１７ｂの上に二階床下地パーチ１７ｃ（構造用面材１１）が搭載されて固定される。
【０００９】
そして、二階床下地パーチ１７ｃの上には、チャンネル１８ａ、二階開口部腰壁１８ｂ、チャンネル１８ｃ、二階開口５ｂ、チャンネル１８ｄ、二階開口部垂壁１８ｅ、チャンネル１８ｆ、チャンネル１８ｇ、まぐさ１４、チャンネル１８ｈ及び頭つなぎ１９が、下方より順に配置される。
【００１０】
特許文献１には、このスチールハウスに関して、各階の床パネル及び屋根を支持するために、耐力壁パネルの上部に水平方向へ掛け渡される臥梁を、熱間で孔型ロールにより一体成形される圧延Ｈ形鋼、溝形鋼等の重量鉄骨、又は、薄板軽量形鋼による組み合わせとすることにより、まぐさ部材を省略することができ、壁パネル及び、屋根、床パネル等の工場生産による効率化、現場施工の簡略化を生かしながら、開口部の高さ及び幅等への適応範囲の拡大を図れる発明が開示されている。
【特許文献１】特開２００３−１４７８５２号公報
【発明の開示】
【発明が解決しようとする課題】
【００１１】
しかし、特許文献１により開示された発明にしたがって、臥梁を圧延Ｈ形鋼、溝形鋼等、又は、薄板軽量形鋼による組み合わせにより構成すると、以下に列記する課題がある。
（圧延Ｈ形鋼）
スチールハウス工法では、臥梁以外の他の構成部材同士は一般的にドリルネジによって接合される。図７は、このドリルネジ２１の構造を模式的に示す説明図である。
【００１２】
ドリルネジ２１は、先端のドリル部２１ａと、これに連続するねじ部２１ｂとを備えている。ドリル部２１ａ、ねじ部２１ｂは、いずれも、締結する上部鋼板２２及び下部鋼板２３の間の距離以上の長さを有する。そして、このドリルネジ２１を上部鋼板２２から下部鋼板２３へ向けてねじ込むと、はじめにドリル部２１ａが上部鋼板２２を穿孔し、刃先の肩部２４が下部鋼板２３を突き抜けるまでにねじ部２１ｂが上部鋼板２２にはかからず、上部鋼板２２及び下部鋼板２３がいずれもドリル部２１ａによって穿孔された後にねじ部２１ｂが上部鋼板２２及び下部鋼板２３の順にねじ込まれる。このように、ドリルネジ２１を用いると、二つの部材の接続を簡易に行うことができるため、ドリルネジ２１を用いて部材を締結できることは、スチールハウス１の組み立てでは極めて重要である。
【００１３】
これに対し、特許文献１により開示された発明における臥梁が圧延Ｈ形鋼である場合、圧延をユニバーサルミルを用いて行うという製造上の制約により、フランジの厚さ：７ｍｍ程度未満、又はウェブの厚さ：４．５ｍｍ程度未満の寸法は得られないため、このような厚さのフランジ及びウェブを有する圧延Ｈ形鋼を臥梁として接合するには、ボルト及びナットを用いるボルト接合を行うこととせざるを得ない。したがって、特許文献１により開示された発明における臥梁を圧延Ｈ形鋼により構成すると、ドリルネジによる接合とボルト及びナットによる接合とを併用せざるを得なくなり、現場での組み立て作業が煩雑になる。
【００１４】
また、圧延Ｈ形鋼のウェブ高さは、１００ｍｍ，１２５ｍｍ，１５０ｍｍ、２００ｍｍ、・・・・・というように工業規格の寸法系列によって定められたもの以外の特殊な寸法は製造されていないため、圧延Ｈ形鋼により臥梁を構成すると、ウェブの高さの選択の自由度が殆どない。
【００１５】
また、臥梁として圧延Ｈ形鋼を用いるには、圧延Ｈ形鋼のフランジ幅を、スチールハウスの壁の一般的な厚さである８９ｍｍとする必要があるが、８９ｍｍのフランジ幅を有する圧延Ｈ形鋼は工業規格には存在しない。
【００１６】
さらに、圧延Ｈ形鋼では、上述した製造上の制約により新たに圧延を行う孔型ロールを新造しない限り、ウェブの位置をフランジの幅方向の中央位置からずらした形状や、あるいは、上下のフランジ幅が異なる形状を有する非対称形状の圧延Ｈ形鋼を製造することはできない。
【００１７】
（溝形鋼）
ウェブを鉛直に配置した溝形鋼により臥梁を構成すると、鉛直荷重に対して荷重を伝達すべきウェブの位置が壁厚さの中心に対して偏心しているため、上述したようにＨ形鋼により臥梁を構成した場合に比較して、溝形鋼の溝部に余分に補強材を配置する必要が生じ、加工コストが嵩む。
【００１８】
また、ウェブを鉛直に配置した溝形鋼は、同様にウェブを鉛直に配置したＨ形鋼に比較すると、曲げ荷重に対する効率が低い。すなわち、溝形鋼は偏心しているため、偏心曲げを考慮した構造計算が必要となる場合があり、かつフランジの先端部分は自由端で拘束がないためにフランジ断面で無効となる部分が多いからである。
【００１９】
（複数の薄板軽量形鋼の組合せ）
スチールハウスは、本来、薄鋼板を折り曲げて形鋼となし、この形鋼を構造材としたものであるから、１つずつの断面性能は小さい。このため、複数の形鋼を組合せる必要がある部位が不可避的に発生する。しかしながら、単に、梁に薄板軽量形鋼を組合せて１つの形鋼を構成するのでは、組立コストが嵩むだけではなく、各部材の取合いが煩雑化する等の課題を生じてしまう。
【００２０】
このように、特許文献１により開示された発明には、臥梁に圧延Ｈ形鋼を用いると、（ａ）ドリルネジによる接合とボルト及びナット接合とを併用せざるを得なくなり、作業が煩雑になること、（ｂ）ウェブの高さの選択の自由度が殆どないこと、（ｃ）スチールハウスの壁の一般的な厚さである８９ｍｍのフランジ幅を有する圧延Ｈ形鋼は工業規格には存在しないこと、（ｄ）ウェブの位置をフランジの幅方向の中央位置からずれた形状や、上下のフランジ幅が異なる形状の非対称形状の圧延Ｈ形鋼を製造できないことという課題があり、臥梁に溝形鋼を用いると（ｅ）補強材を配置する必要が生じて加工コストが嵩むこと、（ｆ）曲げ荷重に対する効率が悪いことという課題があり、さらに、臥梁に薄板軽量形鋼を組合せた形鋼を用いると（ｇ）組立コストが嵩むだけではなく、各部材の取合いが煩雑化することという課題があった。
【課題を解決するための手段】
【００２１】
図１（ａ）〜図１（ｅ）は、以下に説明する本発明に係るスチールハウス梁用Ｈ形鋼の構造を示す説明図である。
本発明は、図１（ａ）に示すように、スチールハウスの梁に用いられる、上下のフランジ３１ａ、３１ｂとこれら上下のフランジ３１ａ、３１ｂを結合するウェブ３２とを有するスチールハウス梁用Ｈ形鋼３０ａであって、上下のフランジ３１ａ、３１ｂ及びウェブ３２が、いずれも、ドリルネジをねじ込むことによる他の部材との接合が可能な厚さ（例えば、フランジ３１ａ、３１ｂの厚さ：３．２ｍｍ以上６ｍｍ以下、ウェブ３２の厚さ：２．３ｍｍ以上４．５ｍｍ以下）を有すること、及び、上下のフランジ３１ａ、３１ｂのうちの少なくとも下フランジ３１ｂの幅が、スチールハウスの壁の厚さ（例えば８９〜９２ｍｍ）と略同じ寸法であることを特徴とするスチールハウス梁用Ｈ形鋼３０ａである。
【００２２】
この本発明に係るスチールハウス梁用Ｈ形鋼では、図１（ｂ）に示すように、ウェブ３２の高さの内法が、スチールハウスの床パネルを構成する床根太３３のせいｈ０と同じ値以上であることが望ましく、（せいｈ０＋７ｍｍ）以下であることがさらに望ましい。このスチールハウス梁用Ｈ形鋼３０ｂを臥梁としてそのウェブ内法間に床根太３３を差込むか、又は図１（ｂ’）に示すように、この臥梁３０ｂを薄板軽量形鋼製の端根太３５に差込み、必要に応じてＬ型金物３４等を介してドリルネジをねじ込むことにより、スチールハウス梁用Ｈ形鋼３０ｂと床根太３３とを接合することができる。
【００２３】
この本発明に係るスチールハウス梁用Ｈ形鋼では、図１（ｃ）に示すように、ウェブ３２の高さの外法が、｛（スチールハウスの床パネルを構成する床根太３３のせいｈ０）＋（下フランジ３１ｂの厚さ）｝と略同じ値であることが望ましい。このスチールハウス梁用Ｈ形鋼を臥梁としてその下フランジの上面に床根太の端部を載置し、必要に応じてＬ型金物等を介して、ドリルねじをねじ込むことにより、スチールハウス梁用Ｈ形鋼と床根太とを接合することができる。
【００２４】
これらの本発明に係るスチールハウス梁用Ｈ形鋼では、図１（ｄ）に示すように、下フランジ３１ｂの幅を上フランジ３１ａの幅よりも大きくすること、例えば、上フランジ３１ａの幅を下フランジ３１ｂの約半分の幅（例えば４５ｍｍ）とすることが望ましい。
【００２５】
また、これらの本発明に係るスチールハウス梁用Ｈ形鋼では、ウェブ３２が上下のフランジ３１ａ、３１ｂの幅方向の中央で上下のフランジ３１ａ、３１ｂと接合する対称形状とすること、又は、ウェブ３２が上下のフランジ３１ａ、３１ｂの少なくとも一方の幅方向の中央を除いた位置で上下のフランジ３１ａ、３１ｂと接合する非対称形状、例えば、ウェブ３２が下フランジ３１ｂの幅方向の中央位置から２２．５ｍｍずれた位置で下フランジ３１ｂに接合し、上下のフランジ３１ａ、３１ｂの一方の端部（図１（ｅ）における左側）の位置は一致し、かつ下フランジ３１ｂの他方の端部（図１（ｅ）における右側）位置が上フランジ３１ａの他方の端部（図１（ｅ）における右側）の位置よりも４５ｍｍ出っ張った非対称形状を有することが望ましい。これにより、このスチールハウス梁用Ｈ形鋼３０ｅ、３０ｆを臥梁としてその下フランジ３１ｂの上面に床根太３３の端部を載置し、必要に応じてＬ型金物等を介して、ドリルねじをねじ込むことにより、スチールハウス梁用Ｈ形鋼３０ｅ、３０ｆと床根太３３とを接合することができる。
【００２６】
これらの本発明に係るスチールハウス梁用Ｈ形鋼３０ａ〜３０ｆがいずれも溶接Ｈ形鋼であることが望ましい。
別の観点からは、本発明は、枠体により支持されて、スチールハウスの壁をなす耐力壁パネルと、床根太及び床根太の上部に載置される床材からなり、スチールハウスの各階の床をなす床パネルと、耐力壁パネル及び／又は床パネルを接合する臥梁とを備え、臥梁が、上述した本発明に係るスチールハウス梁用Ｈ形鋼を有すること、及び、このスチールハウス梁用Ｈ形鋼のフランジが、ドリルネジをねじ込まれることにより、耐力壁パネルの上面又は下面と接合されること、及び／又は、スチールハウス梁用Ｈ形鋼のウェブが、ドリルネジをねじ込まれることにより、床根太の端面と接合されることを特徴とするスチールハウスの枠組構造である。
【００２７】
さらに、本発明は、枠体により支持されて、スチールハウスの壁をなす耐力壁パネルと、床根太及び床根太の上部に載置される床材からなり、スチールハウスの各階の床をなす床パネルと、耐力壁パネル及び／又は床パネルを接合する臥梁とを備える枠組構造を備え、臥梁が上述した本発明に係るスチールハウス梁用Ｈ形鋼を有すること、及び、このスチールハウス梁用Ｈ形鋼のフランジがドリルネジをねじ込まれることにより、耐力壁パネルの上面又は下面と接合されること、及び／又は、このスチールハウス梁用Ｈ形鋼のウェブは、ドリルネジをねじ込まれることにより、床根太の端面と接合されることを特徴とするスチールハウスである。
【発明の効果】
【００２８】
本発明に係るスチールハウス梁用溶接Ｈ形鋼、スチールハウスの枠組構造及びスチールハウスにより、以下に列記する効果が得られる。
（ａ）Ｈ形鋼のフランジ及びウェブの板厚を、例えば溶接Ｈ形鋼を用いてフランジ及びウェブそれぞれの板厚の設定の自由度を高めることによって、ドリルネジによる接合が可能な厚さに設定するため、ドリルネジによる接合のみで組み立てることができ、現場での作業が煩雑化することを防止できる。
【００２９】
（ｂ）Ｈ形鋼のウェブの高さを、例えば溶接Ｈ形鋼を用いてフランジ及びウェブそれぞれの板厚の設定の自由度を高めることによって、要求寸法に応じて自由に設定できる。
（ｃ）Ｈ形鋼のフランジの幅を、例えば溶接Ｈ形鋼を用いてフランジ及びウェブそれぞれの板厚の設定の自由度を高めることによって、スチールハウスの壁の一般的な厚さである８９〜９２ｍｍに設定できる。
【００３０】
（ｄ）Ｈ形鋼の各部寸法を、例えば溶接Ｈ形鋼を用いて各部寸法の設定の自由度を高めることによって、要求寸法に応じて、ウェブの位置をフランジの幅方向の中央位置からずれた形状や、上下のフランジ幅が異なる形状の非対称形状に設定できる。
【００３１】
（ｅ）例えば溶接Ｈ形鋼を用いて各部寸法の設定の自由度を高めることによって、溝形鋼のように補強材を配置する必要がなく、加工コストの上昇を抑制できる。
（ｆ）例えば溶接Ｈ形鋼を用いて各部寸法の設定の自由度を高めることによって、曲げ荷重に対する効率が高い。
【００３２】
（ｇ）例えば溶接Ｈ形鋼を用いて各部寸法の設定の自由度を高めることによって、組立コストの上昇や、各部材の取合いの煩雑化を防止できる。
このように、本発明は、近年採用されるようになってきたスチールハウス工法により建築された、例えば二階建てや三階建て等のスチールハウスの品質及びコストの面で益するところ、甚大である。
【発明を実施するための最良の形態】
【００３３】
（第１の実施の形態）
以下、本発明に係るスチールハウス梁用Ｈ形鋼、スチールハウスの枠組構造及びスチールハウスを実施するための最良の形態を、添付図面を参照しながら説明する。なお、以降の説明では、このスチールハウス梁用Ｈ形鋼が、二枚のフランジ帯材と一枚のウェブ帯材とを所望の横断面形状に組み合わせてから溶接することにより得られるスチールハウス梁用溶接Ｈ形鋼である場合を例にとるが、本発明は溶接Ｈ形鋼に限定されるものではなく、圧延Ｈ形鋼についても同様に適用可能である。
【００３４】
図２は、本発明に係るスチールハウス４１の梁付近の垂直断面を模式的に示す説明図である。また、図３（ａ）は、図２におけるスチールハウス梁用溶接Ｈ形鋼４８−１の垂直断面を抽出して示す説明図であり、図３（ｂ）は、図１におけるスチールハウス梁用溶接Ｈ形鋼４８−２の垂直断面を抽出して示す説明図である。
【００３５】
図２に示すように、本発明に係るスチールハウス４１は、耐力壁パネル４２と、床パネル４３と、臥梁４４−１、４４−２とを備える枠組構造４５を有する。そこで、以下、これらの構成要素について順次説明する
［耐力壁パネル４２］
耐力壁パネル４２は、柱及び梁（いずれも図示しない）により構成される枠体により支持されて、スチールハウス４１の壁をなすものである。
【００３６】
すなわち、上述した特許文献１の段落番号０００４や図９等にも明示されているように、複数のたて枠材が、所定の間隔をあけて下枠材から鉛直上方へ向けて、垂設される。各たて枠材の上端同士は、上枠材により結合される。そして、下枠材、たて枠材及び上枠材により壁枠材が構成され、この壁枠材に構造用面材又はブレースが取り付けられることにより、耐力壁パネル４２が構成される。
【００３７】
この耐力壁パネル４２は、当業者にとっては周知であるため、耐力壁パネル４２に関するこれ以上の説明は省略する。
［床パネル４３］
床パネル４３は、床根太４６及び床根太４６の上部に載置される床材４７からなり、スチールハウス４１の各階の床をなすものである。
【００３８】
なお、床根太４６及び床材４７は、適宜手段により、固定されていればよく、特定の手段には限定されない。また、本実施の形態では、後述する本発明に係る臥梁４４−１、４４−２を用いるため、床根太４６及び床材４７それぞれの臥梁４４−１、４４−２との接触部やその近傍に、臥梁４４−１、４４−２と接触するための切欠き部等を設ける必要がなく、臥梁４４−１、４４−２の製造コストを低減できる。
【００３９】
［臥梁４４−１、４４−２］
本実施の形態では、臥梁４４−１、４４−２として、上述した本発明に係るスチールハウス梁用溶接Ｈ形鋼４８−１、４８−２を用いる。なお、スチールハウス梁用溶接Ｈ形鋼４８−１はスチールハウス１の端部の臥梁４−１に用いられ、一方、スチールハウス梁用溶接Ｈ形鋼４８−２はスチールハウス１の内部の臥梁４−２に用いられる。
【００４０】
このスチールハウス梁用溶接Ｈ形鋼４８−１は、上下のフランジ４９ａ、４９ｂと、これら上下のフランジ４９ａ、４９ｂを結合するウェブ５０とを有する。一方、スチールハウス梁用溶接Ｈ形鋼４８−２は、上下のフランジ５１ａ、５１ｂとこれら上下のフランジ５１ａ、５１ｂを結合するウェブ５２とを有する。
【００４１】
スチールハウス梁用溶接Ｈ形鋼４８−１の上下のフランジ４９ａ、４９ｂ及び、スチールハウス梁用溶接Ｈ形鋼４８−２の上下のフランジ５１ａ、５１ｂは、いずれも、ドリルネジをねじ込むことによる他の部材との接合が可能な厚さを有する。本例では、このような厚さとして、３．２ｍｍ以上６ｍｍ以下とした。
【００４２】
一方、スチールハウス梁用溶接Ｈ形鋼４８−１のウェブ５０及び、スチールハウス梁用溶接Ｈ形鋼４８−２のウェブ５２もまた、いずれも、ドリルネジをねじ込むことによる他の部材との接合が可能な厚さを有する。本例では、このような厚さとして、２．３ｍｍ以上４．５ｍｍ以下とした。
【００４３】
また、スチールハウス梁用溶接Ｈ形鋼４８−１の下フランジ４９ｂ、及びスチールハウス梁用溶接Ｈ形鋼４８−２の下フランジ５１ｂの幅は、スチールハウス４１の壁である耐力壁パネル４２の厚さと同じ寸法とした。本例におけるこの寸法は、８９ｍｍ以上９２ｍｍ以下とした。
【００４４】
また、スチールハウス梁用溶接Ｈ形鋼４８−１、４８−２では、ウェブ５０、５２の高さの外法を、｛（スチールハウス４１の床パネル４３を構成する床根太４６のせい）＋（上フランジ４９ａの厚さ）｝と略同じ値に設定してある。本例では、ＬＨ−２３５×４５／８９×３．２×３．２の溶接Ｈ形鋼を用いた。
【００４５】
さらに、スチールハウス梁用溶接Ｈ形鋼４８−１では、下フランジ４９ｂの幅を上フランジ４９ａの幅よりも大きくすること、例えば、上フランジ４９ａの幅を下フランジ４９ｂの約半分の幅である４５ｍｍに設定した。また、スチールハウス梁用溶接Ｈ形鋼４８−１は、ウェブ５０が下フランジ４９ｂの幅方向の中央を除いた位置で下フランジ４９ｂと接合する非対称形状とした。具体的には、ウェブ５０の位置が下フランジ４９ｂの幅方向の中央から２２．５ｍｍずれており、一方の端部の位置は上下のフランジ４９ａ、４９ｂとも同じであるものの、他方の側の位置は上フランジ４９ａよりも４５ｍｍ出っ張った非対称形状とした。すなわち、ＬＨ−２３８．２×４５／８９×３．２×３．２を用いた。
【００４６】
一方、スチールハウス梁用溶接Ｈ形鋼４８−２は、ウェブ５２が上下のフランジ５１ａ、５１ｂの幅方向の中央で上下のフランジ５１ａ、５１ｂと接合する対称形状とした。すなわち、ＬＨ−２３８．２×４５／８９×３．２×３．２を用いた。
【００４７】
つまり、本実施の形態で用いるスチールハウス梁用溶接Ｈ形鋼４８−１、４８−２として、上述した図１（ｅ）にその横断面形状を示すＨ形鋼３０ｅ，３０ｆを用いている。
これにより、スチールハウス４１の床パネル４３を構成する床根太４６を、スチールハウス梁用溶接Ｈ形鋼４８−１、４８−２の下フランジ４９ｂ、５１ｂの上面に載置した際に、床根太４６の上面と、上フランジ４９ａ、５１ａの上面とを、同一平面上に位置すること、すなわち面位置とすることができる。このため、床根太４６及び上フランジ４９ａ，５１ａの上面に配置する床材４７の全面を支持することができ、部分的に支持部が存在しない、いわゆる不陸部を解消することができる。
【００４８】
そして、臥梁４４−１、４４−２の下フランジ４９ｂ、５１ｂに床根太４６の端部を載置し、必要に応じてＬ型金物等５４を介して、ドリルねじ５３をねじ込むことにより、スチールハウス梁用溶接Ｈ形鋼４８−１、４８−２と耐力壁パネル４２及び床根太４６とを接合することができる。
【００４９】
このような寸法を有するスチールハウス梁用溶接Ｈ形鋼４８−１、４８−２を臥梁４４−１、４４−２として用いることにより、図２に示すように、スチールハウス梁用溶接Ｈ形鋼４８−１、４８−２の下フランジ４９ｂ、５１ｂの上面に、床根太４６の端部を載置することができる。このため、必要に応じてＬ型金物等５４を介して、ドリルねじ５３をねじ込むことにより、スチールハウス梁用溶接Ｈ形鋼４８−１、４８−２と、耐力壁パネル４２及び床根太４６とを接合することができる。
【００５０】
図２及び図３を参照しながら説明した本例とは異なり、このスチールハウス梁用溶接Ｈ形鋼４８−１、４８−２のウェブの高さの内法を、スチールハウス４１の床パネル４３を構成する床根太４６のせいと同じ値以上、望ましくはさらに（せい＋１ｍｍ）以下と設定してもよい。例えば、ＬＨ−２４２×４５／８９×３．２×３．２の溶接Ｈ形鋼を用いればよい。
【００５１】
これにより、臥梁４４−１、４４−２であるこのスチールハウス梁用溶接Ｈ形鋼４８−１、４８−２のウェブ５０、５２の内法間に床根太４６を差込むか、又はこの臥梁４４−１、４４−２を薄板軽量形鋼製の端根太に差込み、必要に応じてＬ型金物等５４を介して、ドリルねじ５３をねじ込むことにより、スチールハウス梁用溶接Ｈ形鋼４８−１、４８−２と、耐力壁パネル４２及び床根太４６とを接合することができる。
【００５２】
このように、臥梁４４−１、４４−２は、ドリルネジ５３をねじ込まれることにより、耐力壁パネル４２及び床パネル４３を接合するものである。
本実施の形態では、このような寸法のＨ形鋼４８−１、４８−２を得るために、これを溶接Ｈ形鋼により構成した。周知のように、溶接Ｈ形鋼とは、二枚の帯板であるフランジ母材と、一枚の帯板であるウェブ母材とを、溶接機手前の加圧位置でＨ形の所望の断面形状となるように送給して組み合わせて溶接することにより製造されるものである。フランジ母材及びウェブ母材それぞれの寸法を変更することによりフランジ及びウェブの寸法を高い自由度で変更することができる。
【００５３】
また、フランジ母材及びウェブ母材の溶接前における組み合わせ形を変更することにより所望の横断面形状を有する溶接Ｈ形鋼を高い自由度で製造することができる。本実施の形態では、このような高い自由度を得て、溶接Ｈ形鋼の寸法を圧延Ｈ形鋼では設備コストの著しい上昇を伴わずには到底得られない形状とするために、溶接Ｈ形鋼を用いることとしている。
【００５４】
本実施の形態におけるスチールハウス４１は、上述した耐力壁パネル４２、床パネル４３及び臥梁４４−１、４４−２を備える枠組構造４５を有するものである。
この本実施の形態におけるスチールハウス梁用溶接Ｈ形鋼４８−１、４８−２、スチールハウスの枠組構造４５及びスチールハウス４１により、以下に列記する効果が得られる。
【００５５】
（ａ）フランジ４９ａ，４９ｂ、５１ａ，５１ｂ及びウェブ５０、５２の板厚の設定の自由度が高い溶接Ｈ形鋼４８−１、４８−２を用い、その板厚をドリルネジ５３による接合が可能な厚さに設定するため、ドリルネジ５３による接合のみで組み立てることができ、現場での作業が煩雑化することを防止できる。
【００５６】
（ｂ）フランジ４９ａ，４９ｂ、５１ａ，５１ｂ及びウェブ５０、５２の板厚の設定の自由度が高い溶接Ｈ形鋼４８−１、４８−２を用いるため、ウェブ５０、５２の高さを要求寸法に応じて自由に設定できる。
【００５７】
（ｃ）フランジ４９ａ，４９ｂ、５１ａ，５１ｂ及びウェブ５０、５２の板厚の設定の自由度が高い溶接Ｈ形鋼４８−１、４８−２を用いるため、下フランジ４９ｂ，５１ｂの幅を、スチールハウス４１の耐力壁パネル４２の一般的な厚さである８９ｍｍに設定できる。
【００５８】
（ｄ）フランジ４９ａ，４９ｂ、５１ａ，５１ｂ及びウェブ５０、５２の板厚の設定の自由度が高い溶接Ｈ形鋼４８−１、４８−２を用いるため、要求寸法に応じて、ウェブ５０、５２の位置をフランジ４９ａ，４９ｂ、５１ａ，５１ｂの幅方向の中央位置からずれた形状や、上下のフランジ４９ａ，４９ｂ、５１ａ，５１ｂの幅が異なる形状の非対称形状に設定できる。
【００５９】
（ｅ）溶接Ｈ形鋼４８−１、４８−２を用いるため、溝形鋼のように補強材を配置する必要がなく、加工コストの上昇を抑制できる。
（ｆ）溶接Ｈ形鋼４８−１、４８−２を用いるため、曲げ荷重に対する効率が高い。
【００６０】
（ｇ）溶接Ｈ形鋼４８−１、４８−２を用いるため、組立コストの上昇や、各部材の取合いの煩雑化を防止できる。
このように、本実施の形態によるスチールハウス梁用溶接Ｈ形鋼４８−１、４８−２、スチールハウスの枠組構造４５及びスチールハウス４１により、近年採用されるようになってきたスチールハウス工法により建築された、例えば二階建てや三階建て等の低層のスチールハウスの品質及びコストの面で益するところ、甚大である。
【００６１】
（第２の実施の形態）
次に、第２の実施の形態を説明する。なお、以降の説明では、上述した第１の実施の形態と相違する部分を説明し、共通する部分には同一の図中符号を付することにより重複する説明を省略する。
【００６２】
図４は、本実施の形態におけるスチールハウス６０−１、６０−２の壁の縦断面を示す説明図である。
図４（ａ）示すスチールハウス６０−１は、木製土台６１の上に１階床下地６２が設けられ、その上に形成された一階開口６２の上部にチャンネル６４ａが配置される。このチャンネル６４ａにより一階開口部垂壁６５が設けられ、一階開口部垂壁６５の上端面にチャンネル６４ｂが配置される。
【００６３】
チャンネル６４ｂの上端面には、上述した図１（ｂ）に示すスチールハウス梁用Ｈ形鋼３０ｂが配置される。本実施の形態では、スチールハウス梁用Ｈ形鋼３０ｂを臥梁としてそのウェブ内法間に床根太６５を差込み、ドリルネジ（図示しない）をねじ込むことにより、スチールハウス梁用Ｈ形鋼３０ｂと床根太６５とが迅速かつ確実に固定される。
【００６４】
そして、スチールハウス梁用Ｈ形鋼３０ｂの上端面には、突出したスチールハウス梁用Ｈ形鋼３０ｂの上フランジを収容し得る切削部を備える二階床下地パーチ６６が搭載されて固定される。
【００６５】
そして、二階床下地パーチ６６（構造用面材でもよい）の上には、チャンネル６７ａ、二階開口部腰壁６８、チャンエル６７ｂ、二階開口６９、チャンネル７０ａ、二階開口部新まぐさ７１、チャンネル７０ｂ及び頭つなぎ７１が、下方より順に配置される。
【００６６】
このようにして、上述した図１（ｂ）に示すスチールハウス梁用Ｈ形鋼３０ｂを用いてもスチールハウス６０−１を構成することができ、上述した第１の実施の形態と同様の作用効果を奏することができる。
【００６７】
（変形形態）
上述した各実施の形態の説明では、図１（ｂ）に示すスチールハウス梁用Ｈ形鋼３０ｂ，
図１（ｅ）に示すスチールハウス梁用Ｈ形鋼３０ｅ、３０ｆを用いた場合を例にとった。しかし、本発明はこれらの形態に限定されるものではなく、図１（ａ）に示すスチールハウス梁用Ｈ形鋼３０ａ、図１（ｃ）に示すスチールハウス梁用Ｈ形鋼３０ｃさらには図１（ｄ）に示すスチールハウス梁用Ｈ形鋼３０ｄについても同様に適用できることはいうまでもない。
【図面の簡単な説明】
【００６８】
【図１】図１（ａ）〜図１（ｅ）は、本発明に係るスチールハウス梁用Ｈ形鋼の構造を示す説明図である。
【図２】本発明に係るスチールハウスの梁付近の垂直断面を模式的に示す説明図である。
【図３】図３（ａ）は、図２におけるスチールハウス梁用溶接Ｈ形鋼の垂直断面を抽出して示す説明図であり、図３（ｂ）は、図１におけるスチールハウス梁用溶接Ｈ形鋼の垂直断面を抽出して示す説明図である。
【図４】第２の実施の形態におけるスチールハウスの壁の縦断面を示す説明図である。
【図５】スチールハウスの構造を模式的に示す説明図である。
【図６】まぐさの設置部付近を示す説明図である。
【図７】ドリルネジの構造を模式的に示す説明図である。
【符号の説明】
【００６９】
４１  本発明に係るスチールハウス
４２  耐力壁パネル
４３  床パネル
４４−１、４４−２  臥梁
４５  枠組構造
４６  床根太
４７  床材
４８−１、４８−２  スチールハウス梁用溶接Ｈ形鋼
４９ａ，４９ｂ、５１ａ、５１  上下のフランジ
５０、５２  ウェブ
５３  ドリルねじ
５４  Ｌ型金物等
【図１】
2006200137.tif 000003
【図２】
2006200137.tif 000004
【図３】
2006200137.tif 000005
【図４】
2006200137.tif 000006
【図５】
2006200137.tif 000007
【図６】
2006200137.tif 000008
【図７】
2006200137.tif 000009